(57)【要約】      （修正有）【課題】排尿の吸収効率を大幅に向上させ、股からの脇漏れ防止に寄与する使捨ておむつを提供する。【解決手段】突起６ｂの先端部を吸収シートの股当て部１ｓに当接させて左右のフラップ１ｃ、１ｄ（上側吸収シート）と吸収シートの股当て部１ｓとの間に生じた間隙を排出空間Ｓとして維持している。このため、左右のフラップ１ｃ、１ｄ（上側吸収シート）と吸収シートの股当て部１ｓとにより袋状の構造が形成され、一度に大量の排尿が起こった場合でも、排尿を袋状の構造内に効果的に閉じ込めて外部に漏らすことがない。しかも、上側吸収シートと吸収シートの股当て部１ｓとの両内面が広い面積となり、排尿に対する吸収面積が大きくなり、排尿を高い吸収効率で迅速に吸収処理することができる。【選択図】図１
0003220689.tif 000002
【実用新案登録請求の範囲】
【請求項１】
前当て部、股当て部および後当て部を構成する吸収シートを備えたおむつ本体と、
前記股当て部に重ね合わせるように設けられた上側吸収シートと、
前記上側吸収シートに形成され、前記股当て部に対応し、使用時に着用者の臀部および泌尿器を内部に配置する開口部と、
前記開口部の開口周縁部に連通状態に設けられた可撓性の環状リングを有するスペーサを具備し、前記上側吸収シートと前記吸収シートとの間に生じた間隙を排出空間として保持することを特徴とする使捨て用おむつ。
【請求項２】
前記環状リングは、その周方向に複数の突起を所定の間隔で間欠的に立設しており、前記突起の先端部を前記吸収シートに当接させて前記上側吸収シートと前記吸収シートとの間に生じた前記間隙を前記排出空間として保持することを特徴とする請求項１に記載の使捨て用おむつ。
【請求項３】
前記環状リングは、前記開口部の前記開口周縁部に固定状態に取り付けられていることを特徴とする請求項１に記載の使捨て用おむつ。
【請求項４】
前記環状リングは、前記開口部の前記開口周縁部に着脱可能に取り付けられていることを特徴とする請求項１に記載の使捨て用おむつ。
【請求項５】
前記開口部は、前記着用者の前記泌尿器に対応する第１開口部と、前記臀部に対応する第２開口部とから成ることを特徴とする請求項１に記載の使捨て用おむつ。
【請求項６】
前記第１開口部と前記第２開口部の双方は、ハート型に形成されていることを特徴とする請求項５に記載の使捨て用おむつ。  
【請求項７】
前記第１開口部と前記第２開口部とは、幅狭な連通路を介して連通していることを特徴とする請求項５に記載の使捨て用おむつ。  
【請求項８】
前記環状リングは前記突起と一緒に形成されたシリコーン樹脂により一体物となっていることを特徴とする請求項２に記載の使捨て用おむつ。
【請求項９】
前記開口部は男性泌尿器に応じた形状であることを特徴とする請求項１に記載の使捨て用おむつ。
【請求項１０】
前記環状リングは、前記おむつ本体のうち前記上側吸収シートに対面する部分に対し、前記前当て部に下降傾斜あるいは上昇傾斜する状態に配置され、前記上側吸収シートが半筒状に盛り上がって着用者の陰茎部および陰嚢部を収容する格納部を形成していることを特徴とする請求項１に記載の使捨て用おむつ。
【請求項１１】
前記おむつ本体をパンツ型おむつとして構成したことを特徴とする請求項１ないし請求項１０のうち何れか一つに記載の使捨て用おむつ。
【考案の詳細な説明】
【技術分野】
【０００１】
本考案は、腰部に装着する使捨て用おむつに係り、とりわけ、排尿時の尿漏れを効率的に防ぐように改良した使捨て用おむつに関する。
【背景技術】
【０００２】
使捨てのパンツ型おむつは、心材を粉砕パルプと高吸水性ポリマーとを含む吸収体として形成し、吸収体には型崩れを起こさないような工夫が施されている。
この種のパンツ型おむつに特許文献１、２に記載されたものがある。このうち特許文献１では、ラッピングシートで被覆された心材が、その全外面をホットメタル接着剤を介してラッピングシートに接合している。心材の内面には、ラッピングシートに対する接合域と非接合域とを設けている。
【０００３】
特許文献２では、吸収性コアに圧縮凹部が点在するエンボス領域がスリットと一部重なるように設けられている。エンボス領域の中央線がおむつの中央線からスリットの中央線までの範囲に位置するように設置している。
この構成により、尿成分を高効率で拡散し、漏れ防止を図り、着用者の肌への液戻りを抑制している。  
【０００４】
特許文献３では、大人用紙おむつに男性性器収納袋を設けている。この男性性器収納袋は、防水弾性体製であり、逆Ｕ字状あるいは逆Ｖ字状を成し、裾部がサイドギャザーと一体的に形成し、男性性器のはみ出し防止と横漏れ防止に寄与させている。
【０００５】
特許文献４では、大人用おむつは、腹当て部と腹当て部とを有するとともに、腹当て部と腹当て部との間を連接する股当て部から構成されている。
腰当て部および腹当て部の各幅方向両側に連結部が設けられ、この連結部を股当て部の幅方向両側に対して外側方に向かって突出させている。これにより、老人や病人等の虚弱な人でも、立たせたままでおむつの装着を可能とし、老人等に対するおむつの装着の容易化を図っている。
また、特許文献５は、開口部を形成した尿漏れバッドをおむつ本体に着脱可能に取り付けている。特許文献６、７、８は、おむつ本体に尿漏れパッドを設けて排尿を高効率で処理可能な構造を開示している。
【先行技術文献】
【特許文献】
【０００６】
【特許文献１】特開２０１５−０００１８１号公報
【特許文献２】特開２０１５−１１９７８６号公報
【特許文献３】特開２００３−１９９７７９号公報
【特許文献４】特開平０８−１５４９６０号公報
【特許文献５】特開２００６−１０２３２１号公報
【特許文献６】特表２０１２−５１９５６６号公報
【特許文献７】特開２００８−２３３６５号公報
【特許文献８】特開２０１７−１８９２１２号公報
【考案の概要】
【考案が解決しようとする課題】
【０００７】
特許文献１では、ラッピングシートを介しての体液の吸収がホットメルト接着剤によって妨げられることがないようにしている。特許文献２では、吸収容量を有効利用し、尿成分を高効率で拡散し、漏れ防止を図り、着用者の肌への液戻りを抑制しているものの、排泄物の漏れ防止という点で改良の余地が残されている。  
【０００８】
また、特許文献３では、男性性器のはみ出しと横漏れ防止を図り、特許文献４では、老人等に対して立たせたままでおむつの装着を可能とし、おむつに対する装着の容易性を図っている。
特許文献５は、尿漏れパッドを取り替えることにより、おむつに残る吸収尿量を一定に制限可能とし、特許文献６は吸収基礎材料と超吸収性ポリマ粉末を用いて尿吸収性能を高めている。特許文献７は、おむつ本体の端縁部の両側縁部が接合されて袋状構造を提示し、特許文献８は、裏返し反転可能な袋状キャップ内に、陰茎に装着固定可能な固定用筒を設けている。
しかしながら、特許文献１〜８のいずれのものも、排泄物を積極的に溜めて横漏れなどの漏れ防止を合理的に図る構成に乏しく、簡素な構成で排泄物の漏れ対策を強化する余地が残されていた。
【０００９】
本考案は上記の事情を考慮してなされたもので、その目的は、排便を合理的に受けて収容すると共に、排尿を漏れなく迅速に吸収可能とし、もって排尿の吸収効率を大幅に向上させ、股からの脇漏れ防止に寄与し、併せて安価で簡素な構造で済み使い勝手のよいといった実用的に優れた使捨て用おむつを提供することにある。                    
【課題を解決するための手段】
【００１０】
（請求項１および請求項２について）
おむつ本体は、前当て部、股当て部および後当て部を構成する吸収シートを備えている。上側吸収シートは、股当て部に重ね合わせるように設けられている。開口部は、股当て部に対応するように上側吸収シートに形成され、使用時に着用者の臀部および泌尿器を内部に配置する。
スペーサは、開口部の開口周縁部に連通状態に設けられた可撓性の環状リングを有し、上側吸収シートと吸収シートとの間に排出空間を保持している。環状リングは、その方向に複数の突起を所定の間隔で間欠的に立設している。突起の先端部を吸収シートに当接させて上側吸収シートと吸収シートとの間に排出空間を設けている。
【００１１】
請求項１および請求項２では、突起の先端部を吸収シートに当接させて上側吸収シートと吸収シートとの間に排出空間を設けている。
このため、上側吸収シートと吸収シートとにより袋状の構造が形成され、一度に大量の排尿が起こった場合でも、排尿を袋状の構造内に効果的に閉じ込めて外部に漏らすことがない。しかも、上側吸収シートと吸収シートとの両内面が広い面積となり、排尿に対する吸収面積が大きくなり、高い吸収効率で迅速に吸収することができる。
また、おむつ本体の着用者が仰臥あるいは伏臥しても、左右に横臥しても、排便および排尿は開口部の排出空間から前後および左右に拡散し、迅速におむつ本体の全面に広く配分されて効果的に吸収される。この結果、排尿の吸収効率を大幅に向上させ、股からの脇漏れ防止に寄与することができる。
併せて、おむつ本体が安価で簡素な構造で済み使い勝手がよく実用的である。
また、可撓性のスペーサを着脱可能に設けているので、おむつ本体の着用者が様々な位置を取っても、おむつ本体を着用者の位置変えに応じた形状に保持することができる。
【００１２】
（請求項３について）
環状リングは、開口部の前記開口周縁部に着脱可能に固定状態に取り付けられている。スペーサは固定状態の取付けなので、使捨て用おむつを直接着用することができる便宜が得られる。
【００１３】
（請求項４について）
環状リングは、開口部の前記開口周縁部に着脱可能に取り付けられている。すなわち、スペーサは着用に応じて着脱可能なので、複数の使捨て用おむつを一つずつ順繰りに使う場合、単一のスペーサを共通して使用することができて汎用性が得られる。
【００１４】
（請求項５について）
開口部は、着用者の泌尿器に対応する第１開口部と、臀部に対応する第２開口部から成る。このため、第１開口部と第２開口部とは別個となっており、排便と排尿とを別々の所から排出空簡に流出させることができる。
【００１５】
（請求項６について）
第１開口部と第２開口部の双方は、ハート型に形成されている。このため、排尿および排便は尾籠なことでありながらも、第１開口部と第２開口部の形状の軽快さで尾籠性を緩和することができる。
【００１６】
（請求項７について）
第１開口部と第２開口部とは、幅狭な連通路を介して連通しているため、排尿と排便との位置を容易に識別・確認することができる。
【００１７】
（請求項８について）
環状リングは突起と一緒に形成されたシリコーン樹脂により一体物となっているため、スペーサを取り扱い易くなるとともに、紛失防止に寄与することができる。
【００１８】
（請求項９について）
開口部は男性泌尿器の陰茎部および陰嚢部に応じた形状にしているので、着用者が男性泌尿器を開口部に配置し易くなって安心して排尿することができる。
【００１９】
（請求項１０について）
環状リングは、おむつ本体のうち上側吸収シートに対面する部分（股当て部）に対して傾斜状態に配置され、上側吸収シートが半筒状に盛り上がって着用者の陰茎および陰嚢部を収容する格納部を形成している。
このため、着用に伴い、着用者の陰茎部および陰嚢部が格納部にすっぽり納まるので、格納部がウツボ葛状の尿瓶となって、安心して排尿を行うことができる。
【００２０】
（請求項１１について）
おむつ本体をパンツ型おむつとして構成したので、使用時におむつ本体を履くことで着用することができる。
【図面の簡単な説明】
【００２１】
【図１】（ａ）は使捨て用おむつの展開図、（ｂ）は使捨て用おむつの上面図、（ｃ）はスペーサの斜視図、（ｄ）は図１（ｂ）のＡ１−Ａ線に沿う横面図である（第１実施例）
【図２】（ａ）は使捨て用おむつの展開図、（ｂ）は使捨て用おむつの上面図、（ｃ）はスペーサの斜視図、（ｄ）はスペーサをおむつ本体に着脱可能に取り付けた構造を示す図２（ｂ）のＡ２−Ａ２線に沿う横断面図である（第１実施例の変形例）。
【図３】（ａ）は使捨て用おむつの展開図、（ｂ）は使捨て用おむつの上面図、（ｃ）はスペーサの斜視図、（ｄ）は図３（ｂ）のＡ３−Ａ３線に沿う横断面図、（ｅ）は図３（ｂ）のＡ４−Ａ４線に沿う横断面図である（第２実施例）。
【図４】（ａ）は使捨て用おむつの展開図、（ｂ）は使捨て用おむつの上面図、（ｃ）はスペーサの斜視図、（ｄ）は図４（ｂ）のＡ５−Ａ５線に沿う横断面図、（ｅ）は図４（ｂ）のＡ６−Ａ６線に沿う横断面図である（実施例３）。
【図５】（ａ）は使捨て用おむつの展開図、（ｂ）は使捨て用おむつの上面図、（ｃ）はスペーサの斜視図、（ｄ）は図５（ｂ）のＡ７−Ａ７線に沿う横断面図、（ｅ）は図５（ｂ）のＡ８−Ａ８線に沿う横断面図である（実施例４）。
【図６】（ａ）は使捨て用おむつの展開図（実施例５）、（ｂ）は使捨て用おむつの上面図（実施例５）、（ｃ）はスペーサの斜視図（実施例５）、（ｄ）はスペーサの斜視図である（実施例５の変形例）。
【図７】（ａ）は使捨て用おむつの展開図、（ｂ）は使捨て用おむつの上面図、（ｃ）はスペーサの斜視図、（ｄ）は図７（ｂ）のＡ９−Ａ９線に沿う横断面図である（実施例６）。
【図８】（ａ）は使捨て用おむつの展開図、（ｂ）は使捨て用おむつの上面図、（ｃ）はスペーサの斜視図、（ｄ）は図８（ｂ）のＪ１−Ｊ１線に沿う横断面図である（実施例７）。
【図９】（ａ）は使捨て用おむつの展開図、（ｂ）は使捨て用おむつの上面図、（ｃ）はスペーサの斜視図、（ｄ）は図９（ｂ）のＪ２−Ｊ２線に沿う横断面図である（実施例８）。
【図１０】（ａ）は使捨て用おむつをパンツ型おむつとして示す展開図、（ｂ）は使捨て用おむつをパンツ型おむつとして示す斜視図である（実施例９）。
【考案を実施するための形態】
【００２２】
本考案に係る使捨て用おむつでは、スペーサにより排出空間を設けたので、排尿および排便が大量になっても、袋状になったおむつ本体により、一度に大量の排尿が起こった場合でも、袋状構造により排尿を閉じ込めて外部に漏らすことがない。しかも、上側吸収シートと吸収シートとの両内面が広い面積となり、排尿に対する吸収面積が大きくなり、排尿を高い吸収効率で迅速に吸収処理することができる。
【実施例１】
【００２３】
本考案の実施例１を図１に基づいて説明する。
本考案に係る使捨て用おむつ１は、吸収シートにより一体的に形成されており、図１（ａ）に示すように、中央に着用者の股間領域を有するおむつ本体１ｂ、左右のフラップ１ｃ、１ｄおよび前後の腹当て部１ｅおよび背当て部１ｆを有している。
左のフラップ１ｃには、例えば、縦長な半長円形の左開口部２ａが形成され、右のフラップ１ｄにも、縦長な半長円形の右開口部２ｂが形成されている。
【００２４】
左のフラップ１ｃにおける左開口部２ａを除く外周縁部のうち、前端部には細帯状の第１ファスナー２ｃが取り付けられ、後端部には細帯状の第２ファスナー２ｄが取り付けられている。左開口部２ａの上端には第３ファスナー２ｅが取り付けられ、下端には第４ファスナー２ｆが取り付けられている。
右のフラップ１ｄにおける右開口部２ｂを除く外周縁部のうち、前端部には細帯状の第第５ファスナー２ｇが取り付けられ、後端部には細帯状の第６ファスナー２ｈが取り付けられている。右開口部２ｂの上端には第７ファスナー２ｉが取り付けられ、下端には第８ファスナー２ｊが取り付けられている。
【００２５】
おむつ本体１ｂの前端部には、左右に第９ファスナー２ｋおよび第１０ファスナー２ｍが取り付けられ、おむつ本体１ｂの後端部には、左右に第１１ファスナー２ｎおよび第１２ファスナー２ｐが取り付けられている。
左のフラップ１ｃを左の折目線３ａに沿っておむつ本体１ｂの内側に折り曲げ、右のフラップ１ｄを右の折目線３ｂに沿っておむつ本体１ｂの内側に折り曲げる。
これにより、第１ファスナー２ｃが第９ファスナー２ｋに接合固着し、第２ファスナー２ｄが第１１ファスナー２ｎに接合固着するとともに、第５ファスナー２ｇが第１０ファスナー２ｍに接合固着し、第６ファスナー２ｈが第１２ファスナー２ｐに接合固着する。  
【００２６】
これと同時に、第３ファスナー２ｅと第７ファスナー２ｉとが接合固着するとともに、第２ファスナー２ｄと第６ファスナー２ｈとが接合固着し、左開口部２ａと右開口部２ｂとが遭遇し、図２（ｂ）に示す長円形の開口部４を形成する。
背当て部１ｆには、左右両側から細長な連結紐帯５ａ、５ｂが横手方向延出し、着用時に腹当て部１ｅに着脱可能に連結保持されるようになっている。
【００２７】
おむつ本体１ｂは、前当て部としての腹当て部１ｅ、股当て部１ｓとしての股間領域および後当て部としての背当て部１ｆを構成する吸収シートを備えている。上側吸収シートとしての左右のフラップ１ｃ、１ｄは、股当て部１ｓに重ね合わせるように設けられている。開口部４は、股当て部１ｓに対応するように上側吸収シート（左右のフラップ１ｃ、１ｄ）に形成され、着用時に使用者の臀部および泌尿器を内部に配置し、着用者の排尿と排便の双方に適用される。
【００２８】
スペーサ６は、開口部４の開口周縁部４ａに連通状態に設けられた可撓性の環状リング６ａを有している。環状リング６ａは、例えばシリコーン樹脂により形成され、周方向に沿って細ピン状の複数の突起６ｂを所定の間隔で間欠的に立設している。突起６ｂの先端部は、図１（ｄ）に示すように、おむつ本体１ｂの股間領域に当接している。
【００２９】
環状リング６ａの外周側縁には、全周にわたって周溝６ｃが形成されている。周溝６ｃには、開口部４の開口周縁部４ａが嵌入されて固定状態に取り付けられている。  
突起６ｂの先端部がおむつ本体１ｂの股間領域に当接することで、左右のフラップ１ｃ、１ｄと吸収シート（おむつ本体３ｂまたは股当て部１ｓ）との間に生じた間隙が排出空間Ｓとして保持されている。
なお、環状リング６ａは、可撓性に富む弾性ゴムなどのプラスチックなどでもよく、突起６ｂと一体物として形成されていてもよい。
【００３０】
開口部４の開口周縁部４ａに対しては、変形例として剥離可能なファスナーＦｓなどの取付手段を利用して環状リング６ａを着脱可能に設け、非着用時には環状リング６ａを取り外しておき、着用時に取り付けるようにしてもよい（図２（ａ）、（ｂ）、（ｄ）参照）。この場合、環状リング６ａは、図２（ｃ）に示すように、厚みが小さな肉薄枠として使用している。
【００３１】
〔実施例１の効果〕
実施例１では、突起６ｂの先端部を吸収シート（股当て部１ｓ）に当接させて左右のフラップ１ｃ、１ｄ（上側吸収シート）と吸収シート（股当て部１ｓ）との間に生じた間隙を排出空間Ｓとして維持している。
このため、左右のフラップ１ｃ、１ｄ（上側吸収シート）と吸収シートとにより袋状の構造が形成され、一度に大量の排尿が起こった場合でも、排尿を袋状の構造内に効果的に閉じ込めて外部に漏らすことがない。
しかも、上側吸収シートと吸収シートとの両内面が広い面積となり、排尿に対する吸収面積が大きくなり、排尿を高い吸収効率で迅速に吸収処理することができる。
【００３２】
このため、おむつ本体１ｂの着用者が仰臥あるいは伏臥しても、左右に横臥しても、排便および排尿は開口部４の排出空間Ｓから前後および左右に拡散し、迅速におむつ本体１ｂの全面に広く配分されて効果的に吸収される。この結果、排尿の吸収効率を大幅に向上させ、股からの脇漏れ防止に寄与することができる。
併せて、おむつ本体１ｂが安価で簡素な構造で済み使い勝手がよく実用的である。
また、可撓性のスペーサ６を着脱可能に設けているので、おむつ本体１ｂの着用者が様々な位置を取っても、おむつ本体１ｂを着用者の位置変えに応じた形状に保持することができる。
【００３３】
また、スペーサ６は、開口部４の開口周縁部４ａに着脱可能に取り付けられている。すなわち、環状リング６ａを着用に応じて着脱可能にしている。これにより、複数の使捨て用おむつを一つずつ順繰りに使う場合、単一のスペーサ６を共通して使用することができて高い汎用性が得られる。
さらには、環状リング６ａは突起６ｂと一緒に形成されたシリコーン樹脂により一体物とすることにより、スペーサ６を取り扱い易くなるとともに、紛失防止に役立てることができる。
【実施例２】
【００３４】
本考案の実施例２を図３に基づいて説明する。
この実施例２が実施例１と異なるところは、  開口部４を着用者の泌尿器に対応する第１開口部４Ａと、排便用として臀部に対応する第２開口部４Ｂとから構成したことである（図３（ａ）、（ｂ）参照）。
【００３５】
すなわち、第１開口部４Ａは、左右に位置する半長円状の半開口部４ｓ、４ｔ同士を対面させて構成している。また、第２開口部４Ｂは、左右に位置する半長円状の半開口部４ｕ、４ｖ同士を対面させて構成している。第１開口部４Ａと第２開口部４Ｂとは、図示上下に隣接する部分で隘路７を介して連通し、全体形状として瓢箪形を成している。
【００３６】
おむつ本体１ｂの左右中央には、細帯状の第１５ファスナー８および第１６ファスナー９が横方向に配列されている。左のフラップ１ｃには、第１７ファスナー１０が設けられ、右のフラップ１ｄには、第１８ファスナー１１が設けられている。    
左のフラップ１ｃを左の折目線３ａに沿っておむつ本体１ｂの内側に折り曲げるに伴い、第１７ファスナー１０が第１５ファスナー８に接合固定される。
右のフラップ１ｄを右の折目線３ｂに沿っておむつ本体１ｂの内側に折り曲げるに伴い、第１８ファスナー１１が第１６ファスナー９に接合固定される。    
これに伴い、上述の如く半開口部４ｓ、４ｔ同士が対面して第１開口部４Ａを構成し、半開口部４ｕ、４ｖ同士が対面して第２開口部４Ｂを構成する。
【００３７】
この場合、スペーサ２０における環状リング２０ａは、第１開口部４Ａ、第２開口部４Ｂおよび隘路７の全形状に応じた瓢箪形を成している（図３（ｃ）参照）。この環状リング２０ａは、第１開口部４Ａに対応する第１長円枠体２０ｃおよび第２開口部４Ｂに対応する第２長円枠体２０ｄを有している。
【００３８】
第１長円枠体２０ｃと第２長円枠体２０ｄとの境界部は、連結部２０ｅ、２０ｆにより一体的に繋がれている。
環状リング２０ａには、周方向に沿って複数の突起２０ｇを所定の間隔で間欠的に立設している。突起６ｂは、環状リング２０ａから鉛直状態に垂下し、突起６ｂの先端部をおむつ本体１ｂの股間領域に当接させている（図３（ｄ）、（ｅ）参照）。これにより、左右のフラップ１ｃ、１ｄと吸収シート（おむつ本体３ｂあるいは股当て部１ｓ）との間に生じた間隙を排出空間Ｓとして保持している。
【００３９】
実施例２では、開口部４を第１開口部４Ａと第２開口部４Ｂとから構成したので、第１開口部と第２開口部とが別個となっており、排便と排尿とを別々の所から排出空簡Ｓに流出させることができる。
【実施例３】
【００４０】
本考案の実施例３を図４に基づいて説明する。
この実施例３が実施例１と異なるところは、図４（ａ）、（ｂ）に示すように、第１開口部４Ａおよび第２開口部４Ｂの双方を円形とし、第１開口部４Ａと第２開口部４Ｂとを幅狭な連通路２１により連通させたことである。
このため、左右のフラップ１ｃ、１ｄにおける第１開口部４Ａと第２開口部４Ｂとの間は、互いに所定の間隙を隔てて対面する第１直線辺部２１ａおよび第２直線辺部２１ｂとしている。
【００４１】
これに伴い、スペーサ２２における環状リング２２ａを図４（ｃ）に示すように、第１円形枠２２ｂおよび第２円形枠２２ｃから構成し、第１円形枠２２ｂと第２円形枠２２ｃとを接続梁２２ｄで連結している。これら形枠２２ｂ、２円形枠２２ｃおよび接続梁２２ｄには、複数の突起２２ｅを吸収シート（おむつ本体３ｂまたは股当て部１ｓ）に対して垂直状態に立設している（図４（ｄ）、（ｅ）参照）。
【００４２】
実施例３では、第１開口部４Ａと第２開口部４Ｂとを幅狭な連通路２１を介して連通しているため、排尿と排便との位置を容易に識別・確認することができる。
【実施例４】
【００４３】
本考案の実施例４を図５に基づいて説明する。
この実施例４が実施例３と異なるところは、図５（ａ）、（ｂ）に示すように、連通路２１を廃止し、第１開口部４Ａと第２開口部４Ｂとを別個独立に配置したことである。
このため、左右のフラップ１ｃ、１ｄにおける第１開口部４Ａと第２開口部４Ｂとの間は、第１９ファスナー２３および第２０ファスナー２４が取り付けられている。
【００４４】
左のフラップ１ｃ（右のフラップ１ｄ）を左の折目線３ａ（右の折目線３ｂ）に沿って、おむつ本体１ｂの内側に折り曲げるに伴い、第１９ファスナー２３が第２０ファスナー２４に接合固定される。
これに伴い、上述の如く半開口部４ｓ、４ｔ同士が対面して第１開口部４Ａを構成し、半開口部４ｕ、４ｖ同士が対面して第２開口部４Ｂを構成する。
【００４５】
この場合のスペーサ３０は、図５（ｃ）に示すように、第１開口部４Ａに対応する第１環状リング３０ａと第２開口部４Ｂに対応する第２環状リング３０ｂとから成る。第１環状リング３０ａおよび第２環状リング３０ｂの双方には、複数の突起２２ｅを吸収シート（おむつ本体３ｂまたは股当て部１ｓ）に対して垂直状態に立設している（図５（ｄ）、（ｅ）参照）。  
【実施例５】
【００４６】
本考案の実施例５を図６に基づいて説明する。
この実施例５が実施例４と異なるところは、図６（ａ）、（ｂ）に示すように、第１開口部４Ａおよび第２開口部４Ｂの双方をハート型に形成したことである。
左右のフラップ１ｃ、１ｄでは、弓なり状の半開口部４ｓ、４ｔ同士が対面して第１開口部４Ａを構成し、弓なり状の半開口部ｕ、ｖ同士が対面して第２開口部４Ｂを構成している。
【００４７】
この一方、スペーサ４０は、図６（ｃ）に示すように、第１開口部４Ａに対応する第１環状リング４０ａと第２開口部４Ｂに対応するハート型の第２環状リング４０ｂとから成る。第１環状リング４０ａおよび第２環状リング４０ｂの双方には、複数の突起４２ｅを吸収シート（おむつ本体３ｂまたは股当て部１ｓ）に対して垂直状態に立設している。
【００４８】
実施例５では、第１開口部４Ａと第２開口部４Ｂの双方は、ハート型に形成されている。このため、排尿および排便は尾籠なことでありながらも、第１開口部４Ａと第２開口部４Ｂの形状の軽快さで尾籠性を緩和することができる。
なお、第１環状リング４０ａと第２環状リング４０ｂとは、図６（ｄ）に示すように、接続梁４３により一体的に連結してもよい。また、第１開口部４Ａおよび第２開口部４Ｂの形状としては、円形や長円形に限らず、三角形、四角形、五角形、六角形あるいは７角形や８角形を含む多角形であってもよい。
【実施例６】
【００４９】
本考案の実施例６を図７に基づいて説明する。
この実施例６が実施例１と異なるところは、開口部４を男性泌尿器の形状としたことである。すなわち、開口部４の先端開口４Ｍを亀頭を備えた陰茎部の形状とし、後端開口４Ｎを睾丸を備えた陰嚢部の形状として全体的に鍵穴形状としている（図７（ｂ）参照）。  先端開口４Ｍは、左半分小口４ｍと右半分小口４ｎとを対面させて構成し、後端開口４Ｎは、左半分大口４ｒと右半分大口４ｑとを対面させて構成している（図７（ａ）参照）  
【００５０】
これに伴い、スペーサ５０の環状リング５０ａも開口部４に合致する鍵孔形状とし、環状リング５０ａの下面に突起５０ｂを立設している（図６（ｂ）参照）。
実施例６では、開口部４は男性泌尿器の陰茎部および陰嚢部に応じた形状にしたので、着用者が男性泌尿器を開口部４に配置し易くなって安心して排尿することができる。
【実施例７】
【００５１】
本考案の実施例７を図８に基づいて説明する。
この実施例６が実施例１と異なるところは、突起を省略した環状リング６０を長円形状とし、左のフラップ１ｃの図示上隅角部の近傍に半長円状の切欠き状の第１半開口部６０ａを設け、右のフラップ１ｄの図示上隅角部の近傍に半長円状の第２半開口部６０ｂを設けたことである（図８（ａ）、（ｃ）参照）。
【００５２】
左のフラップ１ｃの左右幅寸法Ｗ１および右のフラップ１ｄの左右幅寸法Ｗ２は、ともに腹当て部１ｅから背当て部１ｆに向かって次第に増加し、左右のフラップ１ｃ、１ｄの各外側縁部は末広がりに傾斜する状態となっている。左のフラップ１ｃの左右幅寸法Ｗ１と右のフラップ１ｄの左右幅寸法Ｗ２とを足し合わせた値は、おしめ本体１ｂの中央幅寸法Ｗ３よりも所定量だけ大きく設定されている（Ｗ１＋Ｗ２＞Ｗ３）。
この場合、  
【００５３】
この状態において、左のフラップ１ｃを左の折目線３ａに沿っておむつ本体１ｂの内側に折り曲げ、右のフラップ１ｄを右の折目線３ｂに沿っておむつ本体１ｂの内側に折り曲げる。
これに伴い、第１半開口部６０ａの周縁部が環状リング６０の半周部分に取り付けられ、第２半開口部６０ｂの周縁部が環状リング６０の残る半周部分に取り付けられる（図８（ｂ）参照）。第１半開口部６０ａと第２半開口部６０ｂとの各周縁部が環状リング６０上で遭遇して開口部４を形成する。
【００５４】
この場合、左のフラップ１ｃのうち第４ファスナー２ｆを有する部分が右のフラップ１ｄのうち第８ファスナー２ｊを有する部分の下面に重なり合って接合固着し、第２ファスナー２ｄが第１１ファスナー２ｎおよび第１２ファスナー２ｐの双方に接合固着する。第３ファスナー２ｅは、第７ファスナー２ｉに接合固着する。第６ファスナー２ｈが第２ファスナー２ｄに対応する左のフラップ１ｃの表面下縁部に接合固着する。第５ファスナー２ｇが第１０ファスナー２ｍに接合固着し、第１ファスナー２ｃが第９ファスナー２ｋに接合固着する。
【００５５】
周溝６０ａを形成した環状リング６０は、おむつ本体１ｂのうち上側吸収シートに対面する部分（股当て部１ｓ）に対して傾斜状態（腹当て部１ｅに向かって下降傾斜する状態）に配置され、上側吸収シートが半筒状あるいは円弧状の曲面を成すように盛り上がって格納部６１を構成する。格納部６１の内部を着用者の陰茎部Ｍａおよび陰嚢部Ｍｂを収容する排出空間Ｓとする（図８（ｄ）参照）。格納部６１には、着用者の陰茎部Ｍａのみを収容するようにしてもよいなど着用に関しては、着用者の裁量で自由な着用方法を適用することができる。
【００５６】
実施例７では、使捨て用おむつ１の着用に伴い、着用者の陰茎部Ｍａおよび陰嚢部Ｍｂが格納部６１にすっぽり納まるので、格納部６１がウツボ葛状の尿瓶となって、安心して排尿を行うことができる。なお、環状リング６０は必要に応じて設ければよく、不要なときには省略してもよい。
【実施例８】
【００５７】
本考案の実施例８を図９に基づいて説明する。
実施例８が実施例７と異なるところは、左のフラップ１ｃの図示下隅角部の近傍に半長円状の切欠き状の第１半開口部６０ａを設け、右のフラップ１ｄの図示下隅角部の近傍に半長円状の第２半開口部６０ｂを設けたことである（図９（ａ）、（ｃ）参照）。
【００５８】
この場合、環状リング６０はおむつ本体１ｂのうち上側吸収シートに対面する部分に対して傾斜状態（腹当て部１ｅに向かって上昇傾斜する状態）に配置されている（図９（ｂ）、（ｃ）参照）。
実施例７とは逆に、左のフラップ１ｃの左右幅寸法Ｗ１および右のフラップ１ｄの左右幅寸法Ｗ２は、ともに腹当て部１ｅから背当て部１ｆに向かって次第に減少し、左右のフラップ１ｃ、１ｄの各外側縁部は末窄みに傾斜する状態となっている。
【００５９】
この場合、第４ファスナー２ｆが第８ファスナー２ｊに接合固着し、第２ファスナー２ｄが第１１ファスナー２ｎに接合固着し、第６ファスナー２ｈが第１２ファスナー２ｐに接合固着する。左のフラップ１ｃのうち第３ファスナー２ｅを有する部分は、右のフラップ１ｄのうち第７ファスナー２ｉを有する部分の下面に重なり合って接合固着する。
第１ファスナー２ｃが第９ファスナー２ｋと第１０ファスナー２ｍとの双方に接合固着し、第５ファスナー２ｇが第１ファスナー２ｃに対応する左のフラップ１ｃの表面上縁部に接合固着する。
【００６０】
上側吸収シート（左右のフラップ１ｃ、１ｄ）が半筒状あるいは円弧状の曲面を成すように盛り上がって構成した格納部６１には、着用者の泌尿器を下方から環状リング６０を介して押し入れ、陰茎部Ｍａおよび陰嚢部Ｍｂを収容する（図９（ｄ）参照）。
【実施例９】
【００６１】
本考案の実施例９を図１０に基づいて説明する。
実施例９が実施例１と異なるところは、おむつ本体をパンツ型おむつ５１として構成したことである（（図１０（ａ）、（ｂ）参照））。
【００６２】
このため、実施例９では、使用時におむつ本体を履くことで着用することができる。このパンツ型おむつ５１には、実施例１に限らず、実施例２〜８の使捨て用おむつ１のそれぞれに適用することができる。
なお、図１０（ｂ）においては、前巻き腹部５１ａと背巻き胴部５１ｂとを上下に結ぶ左右両側のギャザー帯部５１ｃ、５１ｄは、着用者が大腿部を挿入するための左右の装用口５１ｅ、５１ｆとなる。
【００６３】
〔変形例〕
なお、上記実施例１〜９の使捨て用おむつ１は、高速道道路などで緊急に用便する必要があるときに使用する他、老人介護用、あるいはナップキンなど女性の生理用品として使用してもよいなど、状況や環境に配慮して各種の場合に応じて適宜に使用する多用途化を図ることができる。
【産業上の利用可能性】
【００６４】
本考案に係る使捨て用おむつでは、おむつ本体の着用時、スペーサにより形成された排出空間を維持するため、袋状になった構造となり、排尿に対する吸収効率を向上させて股からの脇漏れ防止に寄与する。併せて、簡素な構造かつ安価な費用で済むため、使捨ておむつ関連の需要を喚起して製造・流通を介して化学・機械産業界に適用することができる。
【符号の説明】
【００６５】
１          使捨て用おむつ
１ｂ        おむつ本体  
１ｃ        左のフラップ（上側吸収シート）
１ｄ        右のフラップ（上側吸収シート）
１ｅ        腹当て部（前当て部）
１ｆ        背当て部（後当て部）
１ｓ        股当て部
２ａ        左開口部
２ｂ        右開口部
３ａ        左の折目線
３ｂ        右の折目線
４          開口部
４ａ        開口縁部
６          スペーサ
６ａ        環状リング
６ｂ        突起
【図１】
0003220689.tif 000003
【図２】
0003220689.tif 000004
【図３】
0003220689.tif 000005
【図４】
0003220689.tif 000006
【図５】
0003220689.tif 000007
【図６】
0003220689.tif 000008
【図７】
0003220689.tif 000009
【図８】
0003220689.tif 000010
【図９】
0003220689.tif 000011
【図１０】
0003220689.tif 000012